(57)【要約】【課題】吸収体３を備えた袋体２に挿入口４が形成された男性用体液処理用品１において、挿入口から袋体内に挿入したペニスＰを袋体内で下向きの姿勢に長時間にわたって安定して保持する。【解決手段】挿入口４に近接して袋体２の内面に帯状の保持長体１３の両端を固定し、挿入口から挿入されたペニスＰに保持長体１３を係止することでぺニスＰを下向きに保持する。挿入口の左右に吸収部が設けられた構成においても、体液吸収状態がすべての体位で左右の吸収部について平準化・安定化され、吸収体の利用可能な吸収容量が増大し、使用時間の延長が可能となる。【選択図】図３
2006167205.tif 000002
【特許請求の範囲】
【請求項１】
着用者のペニスを挿入する挿入口が形成された袋体の内部に体液の吸収体が設けられてなる男性用体液処理用品において、
前記袋体の前記挿入口が形成された側の内面に取り付けられて前記挿入口の下端部に近接して配置され、前記挿入口から挿入されたペニスを保持する保持長体を有することを特徴とする男性用体液処理用品。
【請求項２】
着用者のペニスを挿入する挿入口が形成されたペニス格納部及び前記ペニス格納部の両側に前記ペニス格納部にそれぞれ連通して設けられた少なくとも一対の吸収部を有する防漏性の袋体と、前記袋体の前記吸収部内に設けられた体液の吸収体とを備えた男性用体液処理用品において、
前記袋体の前記挿入口が形成された側の内面に取り付けられて前記挿入口の下端部に近接して配置され、前記挿入口から挿入されたペニスを下向きに保持する弾性を備えた保持長体を有することを特徴とする男性用体液処理用品。
【請求項３】
１本の前記保持長体の両端部が、前記挿入口の両側部において前記袋体の内面にそれぞれ取り付けられている請求項１又は２記載の男性用体液処理用品。
【請求項４】
１本の前記保持長体の一端部が、前記挿入口の一側部において前記袋体の内面に取り付けられ、その他端部が前記挿入口の他側部において前記袋体の内面に着脱可能に接合可能である請求項１又は２記載の男性用体液処理用品。
【請求項５】
２本の前記保持長体が、各一端部を前記挿入口の両側において前記袋体の内面にそれぞれ取り付けられ、自由端とされた各他端部を互いに連結することでペニスに係止することを特徴とする請求項１又は２記載の男性用体液処理用品。
【請求項６】
前記保持長体が直帯状であることを特徴とする請求項１乃至５記載の男性用体液処理用品。
【請求項７】
前記保持長体が糸状であることを特徴とする請求項１乃至５記載の男性用体液処理用品。
【請求項８】
前記保持長体が、非装着時には着用者の前方に向けて突出した配置となる湾曲部と、該湾曲部の両端に設けられて前記袋体の内面に回動可能に取り付けられた取付け端部とを有し、
装着時には、前記湾曲部を上方に回動して着用者のペニスを挿通させた後に、前記湾曲部を下方に回動して該湾曲部の突端部でペニスを下向きに押さえるように構成されたことを特徴とする請求項１乃至３記載の男性用体液処理用品。
【請求項９】
前記保持長体が、前記袋体の前記挿入口が形成された面内において略Ｃ字形とされた曲帯状であることを特徴とする請求項１乃至３記載の男性用体液処理用品。
【請求項１０】
前記袋体に対する前記保持長体の取付け部分の下縁が、前記挿入口の下端よりも上方にあることを特徴とする請求項１乃至９記載の男性用体液処理用品。
【請求項１１】
前記袋体に対する前記保持長体の取付け部分の下縁が、前記挿入口の下端よりも下方にあることを特徴とする請求項１乃至９記載の男性用体液処理用品。
【請求項１２】
前記挿入口の外側に位置するように、その下端部が前記挿入口の下端部に近接して前記袋体の表面に取り付けられ、挿入口に挿入しようとするペニスが挿入されて抵抗を以って係止する開口を備えたゲートコネクターを有することを特徴とする請求項１乃至１１記載の男性用体液処理用品。
【請求項１３】
前記ゲートコネクターは、ペニスの装着後に自由端である上端部を前記袋体の表面に接合することを特徴とする請求項１２記載の男性用体液処理用品。
【請求項１４】
前記ゲートコネクターは、ペニスの装着後に自由端である上端部を前記挿入口の内部に挿入することを特徴とする請求項１２記載の男性用体液処理用品。
【請求項１５】
前記ゲートコネクターは、その上端部に係止部が形成され、ペニスの装着後に上端部を前記挿入口の内部に挿入するとともに前記保持長体を前記係止部に係止することを特徴とする請求項１２記載の男性用体液処理用品。
【請求項１６】
前記袋体の表側には、前記挿入口に挿入したペニスを結束する結束手段が設けられたことを特徴とする請求項１乃至１５記載の男性用体液処理用品。
【請求項１７】
ペニスと接触する前記挿入口の下端縁部に緩衝部材が設けられたことを特徴とする請求項１乃至１６記載の男性用体液処理用品。
【請求項１８】
前記保持長体によるペニスの保持力が調整可能であることを特徴とする請求項４又は５記載の男性用体液処理用品。
【発明の詳細な説明】
【技術分野】
【０００１】
本発明は、ペニスの挿入口が形成された袋体内に体液の吸収体を設けてなる男性用体液処理用品に係り、特にこの男性用体液処理用品を着用する際に、男性用体液処理用品の挿入口に挿入した着用者のペニスが挿入口に対してずれないように保持することで好適な装着状態を維持できるようにした男性用体液処理用品に関する。
【背景技術】
【０００２】
従来の吸収体物品、例えば子供用おむつ、大人用おむつ、女性用生理用品、女性用失禁用品等は、ナプキン形状であれ、テープ型形状であれ、あるいはパンツ型形状を持つものであれ、共通している構造は、液透過性トップシートと、液不透過性のバックシートとの間に、ＳＡＰとパルプを混合した吸収体を介在させるという基本構造を持っている。
【０００３】
これらの吸収体製品のうち、男性用体液処理用品は、男性である着用者の体液排出はペニスを通じてを行うことが前提となるので、かかる人体の構造上の特徴に適した構造を有していることが必要とされる。このような男性用体液処理用品としては、下記特許文献１、２に示すように、吸収体を備えた袋部にペニス挿入口が形成された吸収体物品が知られている。
【特許文献１】特開平１１−１７２５０２号公報
【特許文献２】特開２００４−６５８５７号公報
【発明の開示】
【発明が解決しようとする課題】
【０００４】
しかしながら、従来の男性用体液処理用品では、ペニスから排出された体液が袋部内の吸収体に適正に吸収されるようにするため、袋部の挿入口からペニスを挿入して下向きの状態で長時間にわたって安定に保つ必要がある。しかし、従来の男性用体液処理用品では、挿入口から挿入したペニスと袋体乃至挿入口との位置関係を適正に固定し、挿入口から挿入したペニスを下向きに安定して保つための手段がなかった。このため、着用者が立ち姿勢から着座したり、屈伸運動をしたり、走る等の行動をとった場合に、袋部に対して着用者の腰が引けることにより、袋体に挿入したペニスが袋体内で下向きの状態を維持できず、あるいはペニスがずれて挿入口からだんだん出てきて抜ける等、固定乃至位置保持が不十分であるための位置ずれの問題が生じていた。また、着用者が、横臥位や仰臥位などの体位をとると、男性用体液処理用品の体液の吸収性能は装着状態によって影響を受け易いため、利用可能な体液の吸収容量が減少したり、使用可能時間が短縮される等の不都合が生じる場合があった。
【０００５】
本発明は、上述した課題を解決するためになされたものであり、吸収体を備えた袋体にペニスの挿入口が形成された男性用体液処理用品において、挿入口から袋体内に挿入したペニスを袋体内で下向きの姿勢に長時間にわたって安定して保持することができ、ペニスの袋体乃至挿入口に対するずれを防止し、またずれが生じてもある程度の位置復元性を発揮することができる柔軟性を備えた男性用体液処理用品を提供することを目的とする。
【課題を解決するための手段】
【０００６】
請求項１に記載された男性用体液処理用品は、
着用者のペニスを挿入する挿入口が形成された袋体の内部に体液の吸収体が設けられてなる男性用体液処理用品において、
前記袋体の前記挿入口が形成された側の内面に取り付けられて前記挿入口の下端部に近接して配置され、前記挿入口から挿入されたペニスを保持する保持長体を有することを特徴としている。
【０００７】
請求項２に記載された男性用体液処理用品は、
着用者のペニスを挿入する挿入口が形成されたペニス格納部及び前記ペニス格納部の両側に前記ペニス格納部にそれぞれ連通して設けられた少なくとも一対の吸収部を有する防漏性の袋体と、前記袋体の前記吸収部内に設けられた体液の吸収体とを備えた男性用体液処理用品において、
前記袋体の前記挿入口が形成された側の内面に取り付けられて前記挿入口の下端部に近接して配置され、前記挿入口から挿入されたペニスを下向きに保持する弾性を備えた保持長体を有することを特徴としている。
【０００８】
請求項３に記載された男性用体液処理用品は、請求項１又は２記載の男性用体液処理用品において、
１本の前記保持長体の両端部が、前記挿入口の両側部において前記袋体の内面にそれぞれ取り付けられていることを特徴としている。
【０００９】
請求項４に記載された男性用体液処理用品は、請求項１又は２記載の男性用体液処理用品において、
１本の前記保持長体の一端部が、前記挿入口の一側部において前記袋体の内面に取り付けられ、その他端部が前記挿入口の他側部において前記袋体の内面に着脱可能に接合可能であることを特徴としている。
【００１０】
請求項５に記載された男性用体液処理用品は、請求項１又は２記載の男性用体液処理用品において、
２本の前記保持長体が、各一端部を前記挿入口の両側において前記袋体の内面にそれぞれ取り付けられ、自由端とされた各他端部を互いに連結することでペニスに係止することを特徴としている
【００１１】
請求項６に記載された男性用体液処理用品は、請求項１乃至５記載の男性用体液処理用品において、
前記保持長体が直帯状であることを特徴としている。
【００１２】
請求項７に記載された男性用体液処理用品は、請求項１乃至５記載の男性用体液処理用品において、
前記保持長体が糸状であることを特徴としている。
【００１３】
請求項８に記載された男性用体液処理用品は、請求項１乃至３記載の男性用体液処理用品において、
前記保持長体が、非装着時には着用者の前方に向けて突出した配置となる湾曲部と、該湾曲部の両端に設けられて前記袋体の内面に回動可能に取り付けられた取付け端部とを有し、
装着時には、前記湾曲部を上方に回動して着用者のペニスを挿通させた後に、前記湾曲部を下方に回動して該湾曲部の突端部でペニスを下向きに押さえるように構成されたことを特徴としている。
【００１４】
請求項９に記載された男性用体液処理用品は、請求項１乃至３記載の男性用体液処理用品において、
前記保持長体が、前記袋体の前記挿入口が形成された面内において略Ｃ字形とされた曲帯状であることを特徴としている。
【００１５】
請求項１０に記載された男性用体液処理用品は、請求項１乃至９記載の男性用体液処理用品において、
前記袋体に対する前記保持長体の取付け部分の下縁が、前記挿入口の下端よりも上方にあることを特徴としている。
【００１６】
請求項１１に記載された男性用体液処理用品は、請求項１乃至９記載の男性用体液処理用品において、
前記袋体に対する前記保持長体の取付け部分の下縁が、前記挿入口の下端よりも下方にあることを特徴としている。
【００１７】
請求項１２に記載された男性用体液処理用品は、請求項１乃至１１記載の男性用体液処理用品において、
前記挿入口の外側に位置するように、その下端部が前記挿入口の下端部に近接して前記袋体の表面に取り付けられ、挿入口に挿入しようとするペニスが挿入されて抵抗を以って係止する開口を備えたゲートコネクターを有することを特徴としている。
【００１８】
請求項１３に記載された男性用体液処理用品は、請求項１２記載の男性用体液処理用品において、
前記ゲートコネクターは、ペニスの装着後に自由端である上端部を前記袋体の表面に接合することを特徴としている。
【００１９】
請求項１４に記載された男性用体液処理用品は、請求項１２記載の男性用体液処理用品において、
前記ゲートコネクターは、ペニスの装着後に自由端である上端部を前記挿入口の内部に挿入することを特徴としている。
【００２０】
請求項１５に記載された男性用体液処理用品は、請求項１２記載の男性用体液処理用品において、
前記ゲートコネクターは、その上端部に係止部が形成され、ペニスの装着後に上端部を前記挿入口の内部に挿入するとともに前記保持長体を前記係止部に係止することを特徴としている。
【００２１】
請求項１６に記載された男性用体液処理用品は、請求項１乃至１５記載の男性用体液処理用品において、
前記袋体の表側には、前記挿入口に挿入したペニスを結束する結束手段が設けられたことを特徴としている。
【００２２】
請求項１７に記載された男性用体液処理用品は、請求項１乃至１６記載の男性用体液処理用品において、
ペニスと接触する前記挿入口の下端縁部に緩衝部材が設けられたことを特徴としている。
【００２３】
請求項１８に記載された男性用体液処理用品は、請求項４又は５記載の男性用体液処理用品において、
前記保持長体によるペニスの保持力が調整可能であることを特徴としている。
例えば、請求項４記載のように１本の保持長体の一端部だけが固定されている構造の場合は、装着時に、該一端部を挿入口から摘み出し、ペニスに掛けて他端を袋体に接合する際に、他端の接合位置を適宜調節することによりペニスに対する保持長体の締め付け具合（係止力）を調整してペニスを袋体内で下向きに保持する作用を調整できる。
また、例えば、請求項５記載のように２本の保持長体の各一端が固定されている構造の場合は、装着時に、各他端部を結んだり、又は一方の他端部を他方の他端部の孔に通して摩擦で固定したり、又は各他端部を留め具で締める等の手法により、ペニスに対する保持長体の締め付け具合（係止力）を調整してペニスを袋体内で下向きに保持する作用を調整できる。
【発明の効果】
【００２４】
請求項１に記載された男性用体液処理用品によれば、挿入口から挿入したペニスを下向きの状態に長期にわたって保持することができるので、ペニスの存在位置が横方向や上向き方向に変位して体液吸収状態が不安定化したり、ペニスが挿入口から抜ける等の使用上の不都合が防止される。
【００２５】
請求項２に記載された男性用体液処理用品によれば、特に中央のペニス格納部の左右に吸収部がそれぞれ連通して設けられた構造においても、左右の吸収部について、全体位における体液吸収状態を平準化・安定化して吸収体の利用可能な吸収容量を増大させ、使用時間が延長される効果がある。
【００２６】
請求項３に記載された男性用体液処理用品によれば、装着時に、１本の前記保持長体の中央部を指で摘んで挿入口から外に引き出し、ペニスをその中央に挿通させれば、ペニスを保持長体に係止して下向きの状態に保持する効果を得ることができる。
【００２７】
請求項４に記載された男性用体液処理用品によれば、装着時に、一端部だけが袋体に固定されている前記保持長体を挿入口から摘み出し、ペニスに掛けて他端を袋体に接合すれば、ペニスを保持長体に係止して下向きの状態に保持することができる他、他端の接合位置を適宜調節すればペニスに対する保持長体の締め付け具合（係止力）を調整できるので、これによりペニスを袋体内で下向きに保持する作用を調整することができる。
【００２８】
請求項５に記載された男性用体液処理用品によれば、装着時に、各一端部を固定された２本の保持長体を結んだり、又は一方の他端部を他方の他端部の孔に通して摩擦で固定したり、又は両保持長体の各他端部を留め具で閉める等の手法により、ペニスに対する保持長体の締め付け具合（係止力）を調整できるので、これによりペニスを袋体内で下向きに保持する作用を調整することができる。
【００２９】
請求項６に記載された男性用体液処理用品によれば、ペニスに対する接触面積・保持面積の大きい直帯状の保持長体によって請求項１乃至５記載の効果を得ることができる。
【００３０】
請求項７に記載された男性用体液処理用品によれば、袋体内で嵩張らないため装着操作がし易く、弾性変形し易い糸状の保持長体によって請求項１乃至５記載の効果を得ることができる。
【００３１】
請求項８に記載された男性用体液処理用品によれば、中央の湾曲部を持ち上げてペニスを挿通させ、その後湾曲部を下げることにより、湾曲部の突端部でペニスを下向きに押さえるて請求項１乃至３記載の効果を得ることができる。
【００３２】
請求項９に記載された男性用体液処理用品によれば、略Ｃ字形とされた曲帯状の保持長体によって請求項１乃至３記載の効果を得ることができる。
【００３３】
請求項１０に記載された男性用体液処理用品によれば、前記保持長体の下縁が、前記挿入口の下端よりも上方にくるので、ペニスへの装着がし易くなる。
【００３４】
請求項１１に記載された男性用体液処理用品によれば、前記保持長体の下縁が、前記挿入口の下端よりも下方にくるので、装着した状態でペニスに対する保持が確実である。
【００３５】
請求項１２に記載された男性用体液処理用品によれば、前記挿入口の外側に設けられたゲートコネクターの開口にペニスを挿入・固定することでペニスの挿入口に対する挿入状態を確実とし、さらに挿入口に挿入されたペニスを保持長体で保持するので、袋体内におけるペニスの下向き状態の保持がさらに確実になる。
【００３６】
請求項１３に記載された男性用体液処理用品によれば、ペニスの装着後に前記ゲートコネクターの上端部を前記袋体の表面に接合することで、請求項１２記載の発明の効果を確実にすることができる。
【００３７】
請求項１４に記載された男性用体液処理用品によれば、ペニスの装着後に前記ゲートコネクターの上端部を前記挿入口の内部に挿入することで、請求項１２記載の発明の効果を確実にすることができる。
【００３８】
請求項１５に記載された男性用体液処理用品によれば、ペニスの装着後に前記ゲートコネクターの上端部を前記挿入口の内部に挿入し、前記保持長体を前記ゲートコネクターの前記係止部に係止して間接的にペニスを下向きに保持することにより、請求項１２記載の発明の効果を確実にすることができる。
【００３９】
請求項１６に記載された男性用体液処理用品によれば、前記袋体の表側に設けた結束手段で前記挿入口に挿入したペニスを結束することができるので、挿入口に挿入して下向きに設定されたペニスの状態保持がさらに確実になる。
【００４０】
請求項１７に記載された男性用体液処理用品によれば、挿入口から挿入されて保持長体で下向きに保持されたペニスは前記挿入口の下端縁部の緩衝部材に当接するので、ペニスの下側の尿道への圧迫が和らげられる。
【００４１】
請求項１８に記載された男性用体液処理用品によれば、前記保持長体によるペニスの保持力が調整可能であるという効果がある。
すなわち、１本の保持長体の一端だけが固定されている構造の場合は、装着時に、一端部を挿入口から摘み出し、ペニスに掛けて他端を袋体に接合すれば、ペニスを保持長体に係止して下向きの状態に保持することができる他、他端の接合位置を適宜調節すればペニスに対する保持長体の締め付け具合（係止力）を調整できるので、これによりペニスを袋体内で下向きに保持する作用を調整することができる。
また、２本の保持長体の各一端が固定されている構造の場合は、装着時に、各他端部を結んだり、又は一方の他端部を他方の他端部の孔に通して摩擦で固定したり、又は各他端部を留め具で締める等の手法により、ペニスに対する保持長体の締め付け具合（係止力）を調整できるので、これによりペニスを袋体内で下向きに保持する作用を調整することができる。
【００４２】
このように、本発明の男性用体液処理用品は、着用者のペニスを挿入する挿入口が形成された袋体の中に体液の吸収体を設けた製品であるが、この袋体の挿入口が形成された側の内面には、挿入口に近接して保持長体が設けられ、挿入口から挿入したペニスに保持長体を係止することでペニスを袋体内で下向きの状態に長時間にわたって安定して保持することができるので、ペニスの存在位置が横方向や上向き方向に変位して体液吸収状態が不安定化することが防止される。従って、男性用体液処理用品の全体形状が、挿入口が形成された中央のペニス格納部の両側に吸収部をそれぞれ連通して設けた実質的に左右対称な構造であっても、全体位における体液吸収状態が左右の吸収部について平準化・安定化されて吸収体の利用可能な吸収容量が増大し、使用時間の延長が可能となる。
【発明を実施するための最良の形態】
【００４３】
次に、本願出願時において本発明者等が最良と認識する本願発明の実施の形態を説明する。
（１）基本構造（図１〜図５）
図１〜図３に示す本例の男性用体液処理用品１（以下、本製品１とも呼ぶ）は、男性の着用者が下腹部に身につけ、内部に尿等の体液の吸収体３を設けた袋体２の挿入口４からペニスを挿入して使用する衛生用品である。
【００４４】
本製品１は、不織布に樹脂製フィルムを圧着して構成した薄い防漏性シート材料からなる袋体２を有している。この袋体２は、前記防漏性シート材料の不織布を外側として使用し、図１及び図２に示すように前面側（着用者側）及び背面側から見て全体として図中上方を尖端として左右にウイングを有する矢羽根形状（略逆Ｖ字形）となるように、かつ全体としては内部空間を有する袋状となるように、その外周縁に沿って圧着して袋状に形成したものである。
【００４５】
この袋体２は、中央部の空間がペニス格納部５とされており、その前面側（着用者側）に形成された縦に長いスリットがペニスの挿入口４である。図示の挿入口４は縦に長い楕円形であるが、後述するように縦長の矩形でもよいし、縦長の三角形でもよい。また、場合によっては横長であってもよい。
【００４６】
このペニス格納部５の両側は、ペニス格納部５にそれぞれ連通する第１吸収部６とされており、また袋体２の背面側には、ペニス格納部５の両側において、第１吸収部６及びペニス格納部５に連通する別空間である第２吸収部７が内側への折り返し部８を介してそれぞれ形成されている。なお、使用時にこの折り返し部分８が伸張すれば袋体２の内部空間は拡大される。
【００４７】
これら第１及び第２吸収部６，７内には、体液を吸収するための高分子吸収体シート３がそれぞれ設けられている。さらに、第１吸収部６、第２吸収部７、ペニス格納部５の間には、これらの各部の間で体液の移動を容易にするための液体ガイド層９が設けられており、ペニス格納部５に一時に大量の体液が排出された場合には、この液体ガイド層９を介して体液は左右の第１吸収部６及び第２吸収部７に分散して案内され、各部の高分子吸収体シート３に吸収されるため、排出された体液がペニス格納部５に滞留することがない。
【００４８】
図１に示すように、袋体２の前面側において、前記挿入口４の近傍には、下部が一体となった可撓性材料からなる２本の帯状の結束バンド１０が設けられている。結束バンド１０は、着用者が着用時に挿入口４から挿入したペニスＰに巻き付けて使用する。結束バンド１０には、袋体２の表面の不織布に接合し易い薄いフック層１１が設けられ、着用時に結束バンド１０をペニスＰに巻き付けた後に袋体２の正面側に接合できる。従って、男性の着用者がペニスＰを袋体２の挿入口４から内部に挿入し、２本の結束バンド１０，１０を互いに反対方向からペニスＰにかけ回してペニスＰを結束し、これら各結束バンド１０のフック層１１を袋体２の正面側に接合すれば、着用者のぺニスＰに対して本製品１を確実に取り付けることができる。
【００４９】
なお、図２に示すように、袋体２の背面側の中央上部には、粘着層１２が設けられている。粘着層１２は図示しない剥離シートに覆われており、着用時に該剥離シートを剥がせば、着用者の下着の前身頃の内面側に袋体２を貼り付けて本製品１の着装を確実にすることができる。
【００５０】
そして、さらに本製品１は、挿入口４から袋体２内に挿入したペニスＰを袋体２内で下向きの姿勢に長時間にわたって安定して保持するために、袋体２内でぺニスＰを下向きに保持する手段としての保持長体１３（インナーバンドとも称する。）を備えている。
【００５１】
本例の保持長体１３は帯状であり、ゴム等の弾性材料で形成されている。この保持長体１３は、図３〜図５に示すように、前記袋体２内において、前記挿入口４の下端部に近接して配置され、前記袋体２の前記挿入口４が形成された側（前面側、着用者側）の内面にその両端の接合部１３ａが固定され、中央の未接合部１３ｂが袋体２の内面との間にぺニスＰが挿入される挿通空間を構成している。本例の帯状の保持長体１３の幅Ｗは２〜４０ｍｍ（好ましくは５〜３０ｍｍ）、未接合部の伸張前の長さＬ１は２０〜２００ｍｍ（好ましくは５０〜１５０ｍｍ）、未接合部の伸張前の長さＬ１と伸張時の長さＬ２の比Ｌ２／Ｌ１は１．０〜３．０（好ましくは１．２〜２．０）である。
【００５２】
以上のような構成になる本製品１を装着する場合には次のように行う。
図５（ａ）の状態にある保持長体１３を男性の着用者が挿入口４から指で摘んで引き出して伸張させ、図５（ｂ）に示す伸張状態でぺニスＰを未接合部１３ｂの下に通して挿入口４から袋体２内に挿入する。そして、保持長体１３から指を離し、伸張状態から伸びが緩和された図５（ｃ）に示す状態で保持長体１３をぺニスＰの上側に係止させる。
【００５３】
そして、２本の結束バンド１０，１０を互いに反対方向からペニスＰの根元にかけ回してペニスＰを結束し、これら各結束バンド１０の先端のフック層１１を袋体２の正面側に接合して固定する。さらに、袋体２の背面側の剥離シートを剥がして粘着層１２を表し、着用者が下半身に着用している下着の前身頃の内面側に貼り付ける。
【００５４】
これによって、袋体２の左右のウイングの各下方部分が着用者の太腿の付け根に相当する下着の裾からでて下腹部に安定して装着した状態が実現でき、日常活動中に支障なく排尿及び尿処理を行うことができる。
【００５５】
本例によれば、袋体２内においてぺニスＰの上面側には弾性を有する幅広の保持長体１３が安定して係止されてぺニスＰに下向きの保持力を与えているので、着用者の動作により保持長体１３がなければ袋体２に挿入したペニスＰが袋体２内で下向きの状態を維持できなくなるような場合であっても、ぺニスＰを下向きに安定的に保持することができる。従って、着用者が、横臥位や仰臥位などの体位をとっても、そのような体位でぺニスＰから排出される体液は、ぺニス格納部５の左右にある吸収部６，７の一方のみに偏って流入することは少なく、液体ガイド層９の機能とも相俟って体液は各吸収６，７部に可及的均一に流入し各吸収体３に吸収される。また横臥位のように左又は右に偏って流入しても左又は右の吸収容量が満杯となりオーバーフローする前に吸収余力のある左又は右サイドへ流入するように働く。従って、本製品１が有する吸収体３の吸収容量を最大限に利用でき、最大限の使用可能時間を実現することができる。また、保持長体１３が帯状で上述したようにある程度の幅があるから、弾性を以てぺニスＰを押さえても着用者に苦痛を与えることがない。
【００５６】
このように、本製品１の体液の吸収性能は装着状態によって影響を受けにくく、ペニスＰから排出された体液は袋体２内の吸収体３に適正に吸収される。そして、結束バンド１０の機能とも相俟ってペニスＰがずれて挿入口４からだんだん出てきて抜ける等、位置ずれ等の固定不十分の問題も生じない。
【００５７】
（２）保持長体の変形例（図６、図７）
本例においては、図５に示すような帯状の保持長体１３を例示したが、図６又は図７に示すような形状の保持長体２３，３３も利用可能である。
図６に示す保持長体２３は、ゴム等の弾性材料からなる糸状であり、その太さは０．１〜２ｍｍ（好ましくは０．２〜１ｍｍ）であり、未接合部の伸張前の長さＬ１及び未接合部の伸張前の長さＬ１と伸張時の長さＬ２の比Ｌ２／Ｌ１は、図５に示した帯状の保持長体１３の場合と同様である。
本例の保持長体２３は糸状なので伸長しやすく、ぺニスＰを挿入する操作が容易であり、また長さや弾性を上述したように適宜に設定すれば着用者に苦痛を与えることもない。
【００５８】
図７に示す保持長体３３は、樹脂等のある程度の弾性を有する材料で構成されているが、半円状に突出した湾曲部３４と、その両端に設けられて前記袋体２の内面に回動可能な固定支持部３３ａを介して取り付けられた直線状の取付け端部３５とを有する形状に成形されている。図７（ａ）に示すように、非装着時には湾曲部３４が着用者の前方に向けて突出した配置となっており、装着時には、図７（ｂ）に示すように前記湾曲部３４を上方に回動して着用者のペニスＰを湾曲部３４に挿通させた後に、図７（ｃ）に示すように前記湾曲部３４を下方に回動して該湾曲部３４の突端部でペニスＰを下向きに押さえる。従って、湾曲部３４の弾性は、装着時に湾曲形状を維持しつつ、ぺニスＰに必要な下向きの力を加えうる程度のものである必要がある。
本例の保持長体３３によれば、図５及び図６の保持長体１３、２３と異なり、装着時に指で摘んで挿入口４から外に引っ張りだす動作が不要であり、指で回動させる簡易な操作でぺニスＰへの装着を行うことができる。
【００５９】
（３）保持長体の配置（図８、図９）
本例における保持長体１３，２３，３３の袋体２内における配置を挿入口４との位置関係で説明する。
図８（ａ）に示すように、前記袋体２に対する前記保持長体１３の取付け部分の下縁Ｒ１（すなわち直線帯状の保持長体１３であれば、該保持長体１３の下縁）が、前記挿入口４の下端Ｒ０よりも下方にある位置関係では、下縁Ｒ１と下端Ｒ０の距離−ｄ（−は保持長体１３の下端が挿入口４よりも下方にある場合を示す）を大きくする場合には位置固定効果は大きくなるが挿入しにくくなるので、装着が困難にならない限度において保持長体１３の縦幅（前記Ｗ）を調節して保持長体１３がぺニスから外れないようにするのが好ましい。
【００６０】
図８（ｂ）に示すように、前記袋体２に対する前記保持長体１３の取付け部分の下縁Ｒ１（すなわち直線帯状の保持長体１３であれば、該保持長体１３の下縁）が、前記挿入口４の下端Ｒ０よりも上方にある位置関係ではぺニスは挿入し易くなるが、位置固定効果は少なくなるので、ぺニスを下向きに押さえて位置を固定する効果を保持できる限度において、下縁Ｒ１と下端Ｒ０の距離＋ｄ（＋は保持長体１３の下端が挿入口４よりも上方にある場合を示す）を大きくすれば、保持長体１３をぺニスに装着し易くなる。
【００６１】
次に、挿入口４と保持長体１３との形状及び位置関係の種々の態様を説明する。
図９（ａ）は矩形状の挿入口４の下端を矩形帯状の保持長体１３が覆うように配置した例である。図９（ｂ）は逆三角形状の挿入口１４の下端を矩形帯状の保持長体１３が覆うように配置した例である。図９（ｃ）は三角形状の挿入口２４の下端の下方に、該下端にかぶさらないように矩形帯状の保持長体１３が覆うように配置した例である。図９（ｄ）は矩形状の挿入口４の下端の下方に、該下端にかぶさらないように下に凸形状の略Ｃ字形の保持長体４３を配置した例である。図９（ｅ）は矩形状の挿入口４の下端の上方に、該下端にかぶさらないように上に凸形状の略Ｃ字形の保持長体５３を配置した例である。図９（ｆ）は矩形状の挿入口４の下端を矩形帯状の幅広の保持長体１３’が覆うように配置した例である。図９（ｇ）は矩形状の挿入口４の下端の下方に、糸状の保持長体２３を配置した例である。
【００６２】
以上、いずれの例においても、図８を参照して説明した保持長体１３の袋体２内における挿入口４との位置関係を踏まえて、ぺニスＰを下向きに保持する力、ぺニスＰの外れ難さ、及び装着のし易さ等を考慮し、保持長体１３の具体的な形状・配置等を設定すればよい。
【００６３】
（４）保持手段との併用例（図１０及び図１１）
以上説明したように、本製品１の基本構造では、袋体２内の保持長体１３と、袋体２外の結束バンド１０がぺニスの保持手段として設けられているが、さらに図１０及び図１１に示すように挿入口４にゲートコネクター５０を設けてもよい。又は、結束バンド１０の代わりにゲートコネクター５０を設けてもよい。
【００６４】
ゲートコネクター５０は、着用者のペニスＰを男性用体液処理用品１の挿入口４に所定の位置関係で挿入した状態を確実に保持するための部材であり、図１０に示すように挿入口４を覆い隠す寸法を備えた板状の本体の略中央にスリット５１を例えば放射状に形成したものである。また、ゲートコネクター５０の下端縁は、袋体２の前面側（着用者側）の外側において、挿入口４の下方に固定されており、その他の部分は袋体２に対して自由である。
【００６５】
ゲートコネクター５０の材質は、スポンジ等の人体にソフトで弾性を有し、かつ人体に対してある程度の摩擦を生じるようなものが好ましい。男性用体液処理用品１の着用者のペニスＰに挿入すれば細いスリット５１とペニスＰとの摩擦で抜けにくく、該ペニスＰに着脱可能な状態で固定することができる。その固定力は、着用者に過度の圧迫感や締め付けによる苦痛を与えず、固定に違和感のない程度のものであって、かつ男性用体液処理用品１に対する位置決めの際の固定手段としての十分機能し、着用者の日常的な動作に伴って外れることのない程度のものである。ゲートコネクターに設けられる挿入口の形状は任意に決められる。
【００６６】
装着にあたっては、ぺニスＰをゲートコネクター５０のスリット５１に挿入してから、保持長体１３を前述したように装着し、さらにぺニスＰを挿入口４から袋体２内に挿入する。そして、ゲートコネクター５０の上端縁に図示しないフック層を設けておき、図１０（ｂ）に示すようにゲートコネクター５０の上端縁のフック層を挿入口４の上方において袋体２の表面に接合して固定すればよい。
【００６７】
又は、図１０（ｃ）に示すようにゲートコネクター５０の上端縁を挿入口４内に押し込んで、ゲートコネクター５０の上端縁が返しとなって容易には挿入口４から抜け出ないようにしてもよい。
【００６８】
図１１は、ゲートコネクターの他の変形例を示すものである。このゲートコネクター５２の左右端縁には切欠５４が設けられており、保持長体２３は糸状とされている。                      
【００６９】
装着にあたっては、ぺニスＰをゲートコネクター５２のスリット５１に挿入し、挿入口４内から保持長体２３を引っ張りだし、さらにぺニスＰ及びゲートコネクター５２を挿入口４から袋体２内に挿入するとともに、ゲートコネクター５２の切欠５４に保持長体２３を引っ掛け、保持長体２３の弾性力によってぺニスＰにゲートコネクター５２を介して下向きの作用を与え、ぺニスＰを袋体２内で下向きに保持する。
【００７０】
なお、図１０及び図１１では、結束バンド１０が記載されていないが、保持長体１３，２３とゲートコネクター５０，５２に加えてさらに結束バンド１０を併用してもよいことは前述したとおりである。
【００７１】
これによって、着用者のペニスＰと男性用体液処理用品１は、ゲートコネクター５０，５２及び保持長体１３，２３（そして必要に応じて結束バンド１０）によって一体となり、着用者のペニスＰは男性用体液処理用品１の挿入口４に正規の状態（ペニスＰからの排尿を漏れなく男性用体液処理用品１が受け入れることができ、かつペニスＰが挿入口４から容易には外れないような状態）に挿入され、しかも袋体２内において下向きの姿勢で保持される。よって、着用者の動作によってペニスＰの位置がずれたり、挿入口４から外れてしまう等の不都合は生じず、また袋体２内でのぺニスＰの下向き姿勢が確実に保持されることから、着用者が、横臥位や仰臥位などの体位をとっても、体液は各吸収部６，７に均一に流入し、本製品１の吸収容量及び使用可能時間は最大限度に発揮される。
【００７２】
（５）挿入口４の緩衝構造（図１２及び図１３）
以上説明したように、本製品１の基本構造では、挿入口４に挿入されたぺニスＰは袋体２内で保持長体１３２３，３３，４３，５３によって下向きの作用を受けるので、ぺニスＰは挿入口４の下端縁に接触することとなり、その下向きの作用の程度によっては、ぺニス下側の尿道に圧迫が加えられる場合も考えられる。そこで、図１２に示すように、挿入口４の下端縁に、緩衝部材６０を設けて尿道への圧迫を和らげるようにしてもよい。
【００７３】
図１３に示すように、この緩衝部材６０は、ウレタンフォーム製の薄板から一体に成型された２本の結束バンド１０，１０の根元に結束バンド１０と一体に設けてあるが、もちろん結束バンド１０とは別体で挿入口４の下端縁に設けても良い。また、この緩衝部材６０は尖端が半円形でぺニスＰに対する当たりが柔らかくなるように構成してある。
【００７４】
（６）保持長体によるペニスの保持力を調整可能とした構成例（図１４〜図１７）
以上説明した例では、１本の保持長体１３、２３，３３，４３，５３の両端を袋体２に対して固定していたので、これら保持長体によるペニスＰの保持力は一定であった。しかし、図１４〜図１７に例示するように、保持長体によるペニスＰの保持力を調整可能としてもよい。
【００７５】
図１４は、１本の前記保持長体６３の一端部６３ａを、前記挿入口４の一側部において前記袋体２の内面に固定しておき、その他端部に結束部６３ｂを設け、ぺニスＰに掛け回した後に該結束部６３ｂを挿入口４の他側部において袋体２の内面に着脱可能に接合できるようにした例である。この構造によれば、結束部６３ｂを袋体２の内面に接合する位置を変えることで保持長体６３によるぺニスＰの締め付け具合を適宜に調整することができる。
【００７６】
図１５〜図１７は、２本の保持長体の各一端部を挿入口４の両側において袋体２の内面にそれぞれ固定しておき、自由端とされた各他端部を互いに連結することでペニスＰに係止し、これを下向きに保持する構造である。
図１５は、装着時に保持長体７３の一方の他端部を他方の他端部の孔７４に通して摩擦で固定するものであり、図１６は、２本の保持長体７４，７４の各他端部を環状の留め具７５で締める構造であり、図１７は２本の保持長体７３，７３の各他端部を結ぶ構造である。これらいずれの構造によっても、保持長体７３，７３によるぺニスＰの締め付け具合を適宜に調整することができる。
【図面の簡単な説明】
【００７７】
【図１】本発明の実施形態に係る男性用体液処理用品の正面図である。
【図２】本発明の実施形態に係る男性用体液処理用品の背面図である。
【図３】図１のＡ−Ａ切断線における断面図である。
【図４】図３のＢ−Ｂ切断線における断面図である。
【図５】（ａ）は帯状の保持長体の非使用時の状態を示す図、（ｂ）は同じく装着時の状態を示す図、（ｃ）は同じく使用時の状態を示す図である。
【図６】（ａ）は糸状の保持長体の非使用時の状態を示す図、（ｂ）は同じく装着時の状態を示す図、（ｃ）は同じく使用時の状態を示す図である。
【図７】（ａ）は半円形状の湾曲部を有する保持長体の非使用時の状態を示す図、（ｂ）は同じく装着時の状態を示す図、（ｃ）は同じく使用時の状態を示す図である。
【図８】保持長体と挿入口の位置関係を示す図である。
【図９】保持長体と挿入口の位置関係の種々の態様を示す図である。
【図１０】（ａ）はゲートコネクターを備えた本発明の実施形態の要部正面図、（ｂ）は同縦断面図、（ｃ）は変形例の縦断面図である。
【図１１】（ａ）は変形例のゲートコネクターを備えた本発明の実施形態の要部正面図、（ｂ）は同縦断面図である。
【図１２】緩衝部材を備えた本発明の実施形態の正面図である。
【図１３】（ａ）は一体構成とされた緩衝部材及び結束バンドの正面図、（ｂ）は緩衝部材の部分拡大図である。
【図１４】変形例の保持長体の構成と使用方法を示す図である。
【図１５】変形例の保持長体の構成と使用方法を示す図である。
【図１６】変形例の保持長体の構成と使用方法を示す図である。
【図１７】変形例の保持長体の構成と使用方法を示す図である。
【符号の説明】
【００７８】
１  男性用体液処理用品
２  袋体
３  吸収体
４，１４，２４  挿入口
５  ペニス格納部
６  第１吸収部
７  第２吸収部
１０  結束バンド
１３，２３，３３，４３，５３，６３，７３  保持長体
５０，５２  ゲートコネクター
６０  緩衝部材
７５  留め具
【図１】
2006167205.tif 000003
【図２】
2006167205.tif 000004
【図３】
2006167205.tif 000005
【図４】
2006167205.tif 000006
【図５】
2006167205.tif 000007
【図６】
2006167205.tif 000008
【図７】
2006167205.tif 000009
【図８】
2006167205.tif 000010
【図９】
2006167205.tif 000011
【図１０】
2006167205.tif 000012
【図１１】
2006167205.tif 000013
【図１２】
2006167205.tif 000014
【図１３】
2006167205.tif 000015
【図１４】
2006167205.tif 000016
【図１５】
2006167205.tif 000017
【図１６】
2006167205.tif 000018
【図１７】
2006167205.tif 000019